(57)【要約】  【課題】  すべり軸受から浸出した潤滑油の転がり軸受への浸入がなく、低コストでかつ長寿命の小型ファンモータを提供する。  【解決手段】  円筒状の軸受ハウジング１２と、軸受ハウジング１２の外周に配設された固定子５と、軸受ハウジング１２の内周に同心状に配置された転がり軸受（深溝玉軸受２）とすべり軸受（焼結含油メタルスリーブ３）と、これらの軸受により回転自在に支持されたシャフト１と、シャフト１によって軸支され前記固定子５の周囲に配置された回転子６と、回転子６と一体に回転するインペラ７とを備えるファンモータにおいて、深溝玉軸受２の前記メタルスリーブ３側の環状空間開口部に、撥油性を有する密封部材（シールド板２５Ａ）を配置する。以上の構成により、この焼結含油メタルスリーブ３から浸出した潤滑油の深溝玉軸受２への浸入を防止することができる。【選択図】  図１
2006074964.tif 000002
【特許請求の範囲】
【請求項１】
円筒状の軸受ハウジングと、この軸受ハウジングの外周に配設された固定子と、前記軸受ハウジングの内周に同心状に配置された転がり軸受とすべり軸受と、これらの軸受により回転自在に支持された回転軸と、この回転軸によって軸支され前記固定子の周囲に配置された回転子と、この回転子と一体に回転する羽根部とを備えるファンモータにおいて、
前記転がり軸受の前記すべり軸受側端面近傍に、撥油性を有する密封部材が配設されていることを特徴とするファンモータ。
【発明の詳細な説明】
【技術分野】
【０００１】
本発明は、電子部品を搭載したＯＡ機器等の冷却に用いられるファンモータに関し、更に詳しくは、低コストで寿命の長いファンモータに関する。
【背景技術】
【０００２】
電子部品を搭載したパーソナルコンピュータやプリンタ，コピー機等の電子機器には、筐体の内部あるいは個々の電子部品を冷却するために、小型のファンモータが取付けられている。
【０００３】
従来、このファンの回転を支承する回転軸の軸支持には、軸方向に離間して配置された２個の転がり軸受（玉軸受）が使用されることが一般的であったが、低コスト化の要望から、前記転がり軸受の一方を油潤滑すべり軸受（焼結含油メタルスリーブ）に置き換えた安価タイプのファンモータが提案されている。（例えば、特許文献１〜２等を参照。）。
【０００４】
【特許文献１】特開２００１−２７２３１号公報
【特許文献２】特開２００４−４０９２６号公報
【発明の開示】
【発明が解決しようとする課題】
【０００５】
しかしながら、上記のように、同心状に配置した油潤滑すべり軸受と転がり軸受とで回転軸を支持したファンモータにおいては、このすべり軸受で使用される潤滑油が異物（金属粉等）を含んだ状態で洩れ出し、転がり軸受の内部に流れ込んでしまう場合があった。このような現象が生じると、異物の侵入によって軸受音が大きくなったり、転がり軸受の寿命が短くなったりする恐れがある。
【０００６】
本発明は、上記する課題に対処するためになされたものであり、すべり軸受から浸出した潤滑油の転がり軸受への浸入がなく、低コストでかつ長寿命の小型ファンモータを提供することを目的としている。
【課題を解決するための手段】
【０００７】
前記の目的を達成するために、請求項１に記載の発明は、円筒状の軸受ハウジングと、この軸受ハウジングの外周に配設された固定子と、前記軸受ハウジングの内周に同心状に配置された転がり軸受とすべり軸受と、これらの軸受により回転自在に支持された回転軸と、この回転軸によって軸支され前記固定子の周囲に配置された回転子と、この回転子と一体に回転する羽根部とを備えるファンモータにおいて、前記転がり軸受の前記すべり軸受側端面近傍に、撥油性を有する密封部材が配設されていることを特徴とする。
【０００８】
本発明は、異物を伴う潤滑油の浸入が懸念される転がり軸受のすべり軸受側環状空間開口を、この潤滑油をはじく性質を有する部材で密封することによって、所期の目的を達成しようとするものである。
【０００９】
すなわち、請求項１に記載の発明によれば、ファンの回転を支承する回転軸を、同心状に並べて配置された油潤滑すべり軸受と転がり軸受とで支持したファンモータにおいて、転がり軸受のすべり軸受側端面近傍に、撥油性を有する密封部材を配設することにより、このすべり軸受から浸出した潤滑油の転がり軸受への浸入を防止することができる。
【００１０】
なお、この転がり軸受を密封する手段としては、軸受の環状空間開口にシールド板やシール部材を取り付ける方法、あるいは、軸受端面外側に、この端面形状に略沿った部材（ワッシャなど）を配置する方法等でも良い。また、密封部材に撥油性を付与する方法は、塗布（コーティング）や浸漬による部材の表面処理の他、密封部材自身を撥油性を有する材料から構成しても良い。
【発明の効果】
【００１１】
以上のように、本発明によれば、すべり軸受から浸出した潤滑油の転がり軸受への浸入がなく、この潤滑油に起因する不具合の発生が防止される。従って、本発明のファンモータは、小型・低コストで、かつ、寿命の長いファンモータとすることができる。
【発明を実施するための最良の形態】
【００１２】
以下、図面を参照しつつこの発明を実施するための形態について説明する。
図１は、本発明の実施形態におけるファンモータの構造を示す軸方向断面図である。
【００１３】
このファンモータは、合成樹脂製のケーシング１１の内側に一体に形成された軸受ハウジング１２の外周に固定された固定子５と、回転軸（シャフト１）に軸支されたカップ状の回転子６と、この回転子６の外周に形成された羽根部（インペラ７）とを主体として構成されている。
【００１４】
円筒状の軸受ハウジング１２の内周には、軸方向に距離を開けて、転がり軸受（深溝玉軸受２）とすべり軸受（焼結含油メタルスリーブ３）とが同心状に配置されており、これらの軸受２，３によって、シャフト１が軸受ハウジング１２に回転可能に支持されている。また、シャフト１の先端部（図示右方）には、モータの回転子６が取り付けられているとともに、この回転子６に対向する軸受ハウジング１２の外周には、モータの固定子５が固定されている。なお、図中の符号４は予圧ばね、５ａは固定子５のコイル、６ａは回転子６のマグネット、８はシャフト１の抜け止め用の止め輪、を示す。
【００１５】
図２は、本実施形態におけるファンモータの軸受部（図１のＰ部）の拡大模式図である。この軸受部に用いられている２つの軸受２，３の構成は、基本的に従来公知の軸受と同様であり、焼結含油メタルスリーブ３は、潤滑油が含浸された焼結金属等の多孔質材料から形成されている。
【００１６】
また、深溝玉軸受２は、シャフト１に嵌合された内輪２１と、軸受ハウジング１２の内周に固定された外輪２２と、複数のボール２３と、これらボール２３を周方向所定の間隔で保持する保持器２４と、内外輪の間に形成された環状空間に充填されるグリース（図示省略）を密封する密封部材（シールド板２５Ａ，２５Ｂ）とから構成されている。
【００１７】
本実施形態におけるファンモータの特徴は、深溝玉軸受２における焼結含油メタルスリーブ３側の環状空間開口部に、撥油性を有するシールド板２５Ａが配置されている点である。このシールド板２５Ａの表面には、フッ素系の樹脂からなる被膜が形成されており、この被膜により撥油性が付与されている。
【００１８】
以上のようなファンモータにおいても、使用される状態や環境等によっては、この焼結含油メタルスリーブ３で使用されている潤滑油が、異物（金属粉等）を含んだ状態で洩れ出し、深溝玉軸受２側に流れてくる可能性がある。しかしながら、このファンモータは、シールド板２５Ａが撥油性を備えることから、前記潤滑油が深溝玉軸受２の内部に浸入することが防止されている。従って、本実施形態におけるファンモータは、この異物を含む潤滑油に起因する不具合の発生がなく、その寿命を向上させることができる。
【００１９】
なお、本実施形態においては、表面にフッ素系の樹脂（例えば、テフロン（登録商標）等）をコーティングしたシールド板２５Ａの例を挙げたが、本発明において転がり軸受の密封部材に撥油性を付与する方法は特に限定されるものではなく、また撥油剤の種類も限定されるものではない。例えば、撥油性を有する材料から前記シールド板２５Ａ自身を形成しても良いし、図３のように、撥油性を有する樹脂（ゴム）を使用したシール部材２６Ａ等を配置しても良い。
【００２０】
また、密封部材を深溝玉軸受２に組み込むだけではなく、深溝玉軸受２における焼結含油メタルスリーブ３側の端面近傍に、撥油性を有する部材を配置して、環状空間の開口を密封しても良い。好適な例としては、図４のように、撥油剤による表面処理を施した金属製ワッシャ２７、あるいは撥油性を有する樹脂素材からなるワッシャ等を、シャフト１の外周面に嵌合固定する方法を挙げることができる。
【図面の簡単な説明】
【００２１】
【図１】本発明の実施形態におけるファンモータの構造を示す軸方向断面図である。
【図２】本発明の実施形態における転がり軸受２の密封構造を示す図１のＰ部拡大模式図である。
【図３】本発明の実施形態における転がり軸受２の別の密封構造を示す模式図である。
【図４】本発明の実施形態における転がり軸受２の更に別の密封構造を示す模式図である。
【符号の説明】
【００２２】
１    シャフト
２    転がり軸受（深溝玉軸受）
３    すべり軸受（焼結含油メタルスリーブ）
４    ばね
５    固定子
５ａ  コイル
６    回転子
６ａ  マグネット
７    インペラ
８    止め輪
１１  ケーシング
１２  軸受ハウジング
２１  内輪
２２  外輪
２３  ボール
２４  保持器
２５Ａ，２５Ｂ  シールド板
２６Ａ，２６Ｂ  シール部材
２７  密封部材（ワッシャ）
【図１】
2006074964.tif 000003
【図２】
2006074964.tif 000004
【図３】
2006074964.tif 000005
【図４】
2006074964.tif 000006